【事件の表示】
　特願２００６−１１９６２５「医用画像ファイリング装置」拒絶査定不服審判事件〔平成１８年１２月　７日出願公開、特開２００６−３２６２８７〕について、次のとおり審決する。
【結　論】
　本件審判の請求は、成り立たない。
【理　由】
第１　手続の経緯
　本願は，平成１８年４月２４日（優先権主張，平成１７年４月２６日）の出願であって，平成２４年８月６日付けで手続補正がなされ，平成２５年４月８日付けで拒絶査定がなされ，これに対し，同年７月１６日付けで拒絶査定不服審判の請求がなされ，同時に手続補正がなされたものである。
　
第２　平成２５年７月１６日付けの手続補正についての補正却下の決定
　
［補正の却下の決定の結論］
　平成２５年７月１６日付けの手続補正（以下「本件補正」という。）を却下する。
　
［理由］
１　本件補正について
（１）本件補正後の特許請求の範囲の記載
　本件補正により，特許請求の範囲の請求項１は，次のとおり補正された。（下線部は，補正箇所である。）
「同一被検体に関する複数
スライス厚
スライス
のうち前記スライス厚が所要値以下の薄いスライス画像データとその薄いスライス画像データに基づいて生成された処理画像データと
　前記複数
スライス厚
スライス
　
前記薄いスライス画像データについては前記二次記憶装置に保存しない一方，前記処理画像データについては前記二次記憶装置に保存するように
手段
を設けることを特徴とする医用画像ファイリング装置。」
　
（２）本件補正前の特許請求の範囲
　本件補正前の，平成２４年８月６日付けの手続補正による特許請求の範囲の請求項１の記載は次のとおりである。
「同一被検体に関する複数属性の医用画像データを一次的に保存する一次記憶装置と，
前記複数属性の医用画像データを二次的に保存可能な二次記憶装置と，
前記複数属性のうちの一部属性の医用画像データの前記二次記憶装置への保存制御を行なう制御部と，を設けることを特徴とする医用画像ファイリング装置。」
　
（３）上記補正は，補正前の請求項１に記載した発明を特定するために必要な事項である「属性」を「スライス厚」に，「一次記憶装置」へ「一時的に保存する」「医用画像データ」を「スライス厚が所要値以下の薄いスライス画像データとその薄いスライス画像データに基づいて生成された処理画像データと」に，「前記複数属性のうちの一部属性の医用画像データの前記二次記憶装置への保存制御を行う」ことについて，「前記薄いスライス画像データについては前記二次記憶装置に保存しない一方，前記処理画像データについては前記二次記憶装置に保存するように前記二次記憶装置への保存制御を行なう」ように，それぞれ限定を付加するものであって，平成１８年法律第５５号改正附則第３条第１項によりなお従前の例によるとされる同法による改正前の特許法（以下「平成１８年改正前特許法」という。）第１７条の２第４項第２号の特許請求の範囲の減縮を目的とするものに該当する。
　
２　補正の適否
　そこで，本件補正後の前記請求項１に記載された発明（以下「本願補正発明」という。）が特許出願の際独立して特許を受けることができるものであるか（平成１８年改正前特許法第１７条の２第５項において準用する同法第１２６条第５項の規定に適合するか）について以下に検討する。
（１） 本件補正発明
　本件補正発明は，上記１（１）に記載したとおりのものである。
　
（２） 引用例の記載事項
　原査定の拒絶の理由で引用され，本願の優先権主張の日前に公開された特開２００４−１９４８６９号公報（以下「引用例」という。）には，次の記載がある。なお，後に引用発明の認定に直接的に利用する箇所に当審が下線を付した。
　
ア　「【００２４】
【発明の実施の形態】
以下、本発明の画像表示システムについて、図面を参照して詳細に説明する。図１は、本発明の第１の実施の形態の画像表示システム１の概要を示す図である。図１に示すように、この画像表示システム１は、ＣＴ装置、ＭＲＩ装置等の医療用画像生成装置２に接続された画像サーバ３と、画像サーバ３とネットワーク４を介して接続した表示用端末５から概略構成される。
【００２５】
画像サーバ３には、被写体をスキャンした薄いスライス厚の断層画像データ１００（以下、薄い断層画像データという）を保管する画像保管手段３１と、薄い断層画像データ１００に基づいて厚いスライス厚の断層画像データ２００（以下、厚い断層画像データという）を作成する画像変換手段３２を備える。」
　
イ　「【００２７】
画像変換手段３２では、薄い断層画像データ群１０１からスライス厚の厚い断層画像データ２００を作成する。具体的には、所定の厚さになるように薄い断層画像データ群１０１から数枚毎に薄い断層画像データ１００を選択して厚い断層画像データ２００とする（図２（ａ））。あるいは、薄い断層画像データ１００の数枚毎を結合したものを厚い断層画像データ２００としてもよい（図２（ｂ））。また、
作成した一連のスライス厚の厚い断層画像データ２００は、厚い断層画像データ群２０１として、例えば、一時記憶手段３３に記憶し
　
ウ　「【００４０】
本発明の画像表示システムの第２の実施の形態について、図４を用いて説明する。第１の実施の形態と同一のものには同一の符号を付して詳細な説明は省略し、相違する点について説明する。
【００４１】
この
画像表示システム１ａは、ＣＴ装置、ＭＲＩ装置等の医療用画像生成装置２に接続された画像サーバ３ａと、画像サーバ３ａとネットワーク４を介して接続した表示用端末５ａから概略構成され
【００４２】
画像サーバ３には、被写体をスキャンした薄い断層画像データ１００を保管する画像保管手段３１と、薄い断層画像データ１００に基づいてスライス厚の厚い断層画像データ２００を作成する画像変換手段３２と、表示用端末５ａで表示した厚い断層画像データ群２００と薄い断層画像データ１００を長期保管するための長期保管手段３４を備え
長期保管手段３４は
長期保管用のサーバを用意して、そのサーバに接続するように構成してもよい
【００４３】
また、表示用端末５ａには、画像サーバ３ａから厚い断層画像データ２００を受信する厚い断層画像受信手段５１と、受信した厚い断層画像データ２００に対応した薄い断層画像データ１００を前記画像サーバ３から受信する薄い断層画像受信手段５２と、受信した薄い断層画像データ１００を記憶する断層画像記憶手段５３と、断層画像を表示し、表示に用いた薄い断層画像データ１００を画像サーバ３に通知する表示手段５４ａと、厚い断層画像の表示から薄い断層画像を表示するように切替指示を行う表示切替手段５５とを備えている。」
　
エ　「【００４５】
画像サーバ３では、通知された薄い断層画像データ１００を、対応する厚い断層画像データ群２０１とともに画像保管手段３１から長期保管手段３４に転送して保管する
　
オ　「【００４８】
また、長期保管手段３４に保管する薄い断層画像データ１００を厚い断層画像データ２００との差分情報をして保管するようにしてもよい。
あるいは、薄い断層画像データ１００を長期保管するのではなく、表示用端末５でＭＰＲ機能を用いて断面を変換した画像データを画像サーバ３に送信して、断面を変換した画像データを保管する
　
カ　「図２
」
　
キ　「図４
」
　
ク　技術常識を勘案して以上の記載事項を総合すれば，引用例には，次の発明（以下「引用発明」という。）が記載されていると認められる。
「画像表示システムは，医療用画像生成装置に接続された画像サーバと，画像サーバとネットワークを介して接続した表示用端末から概略構成され，
　画像サーバは，被写体をスキャンした薄い断層画像データを保管する画像保管手段と，薄い断層画像データに基づいてスライス厚の厚い断層画像データを作成する画像変換手段と，作成した一連のスライス厚の厚い断層画像データを記憶する一時記憶手段とを備え，
　画像サーバには，厚い断層画像データと薄い断層画像データを長期保管するための長期保管用のサーバが接続され，
　画像サーバでは，薄い断層画像データを，対応する厚い断層画像データとともに画像保管手段から長期保管用のサーバに転送して保管し，あるいは，薄い断層画像データを長期保管するのではなく，表示用端末でＭＰＲ機能を用いて断面を変換した画像データを画像サーバに送信して，断面を変換した画像データを保管する画像表示システム。」
　
（３）対比
　本件補正発明と引用発明とを対比する。
ア　引用発明における「保管」すること及び「記憶」することは，いずれも本件補正発明の「保存」することに相当する。
　
イ　引用発明の「画像変換手段」は，「薄い断層画像データに基づいてスライス厚の厚い断層画像データを作成する」から，その「薄い断層画像データ」及び「厚い断層画像データ」が，同一被検体に関するものであることは，技術常識から明らかである。
　そして，引用発明の「画像サーバ」における，「被写体をスキャンした薄い断層画像データ」及び「薄い断層画像データに基づいて」「作成」された「厚い断層画像データ」の「保管」は，一次的である。
　さらに，引用発明の「薄い断層画像データに基づいて」「作成」された「厚い断層画像データ」は，本件補正発明の「薄いスライス画像データに基づいて生成された処理画像データ」に相当する。
　したがって，引用発明の「被写体をスキャンした薄い断層画像データを保管する画像保管手段」及び「薄い断層画像データに基づいて」「作成した一連のスライス厚の厚い断層画像データ」「を記憶する一時記憶手段」とを備えた「画像サーバ」は，本件補正発明の「同一被検体に関する複数スライス厚のスライス画像データのうち前記スライス厚が所要値以下の薄いスライス画像データとその薄いスライス画像データに基づいて生成された処理画像データとを一次的に保存する一次記憶装置」に相当する。
　
ウ　引用発明の「厚い断層画像データと薄い断層画像データを長期保管するための長期保管用のサーバ」は，「画像サーバ」における一次的な保存を経た後に保存するものであるから，その保存は二次的である。
　そして，その「長期保管用のサーバ」は，「厚い断層画像データ」と「薄い断層画像データ」という２種類の厚さの「断層画像データ」が保管され得る。
　したがって，引用発明の「厚い断層画像データと薄い断層画像データを長期保管するための長期保管用のサーバ」は，本願発明の「複数スライス厚のスライス画像データを二次的に保存可能な二次記憶装置」に相当する。
　
エ　引用発明は，「薄い断層画像データを，対応する厚い断層画像データとともに画像保管手段から長期保管用のサーバに転送して保管し，あるいは，薄い断層画像データを長期保管するのではなく，表示用端末でＭＰＲ機能を用いて断面を変換した画像データを画像サーバに送信して，断面を変換した画像データを保管する」から，その後者のとき，「長期保管用のサーバ」に保管されるのは，「厚い断層画像データ」と「表示用端末でＭＰＲ機能を用いて断面を変換した画像データ」であって，「薄い断層画像データ」は保管されない。
　そして，その制御を行う手段を引用発明における「画像表示システム」が有するのは，技術常識から明らかである。
　したがって，引用発明が「厚い断層画像データ」と「表示用端末でＭＰＲ機能を用いて断面を変換した画像データ」を保管し，「薄い断層画像データ」を保管しない制御手段を備えることは自明であり，これは本件補正発明の「前記薄いスライス画像データについては前記二次記憶装置に保存しない一方，前記処理画像データについては前記二次記憶装置に保存するように前記二次記憶装置への保存制御を行なう制御手段」に相当する。
　
オ　引用発明の「画像表示システム」は，「医療用画像生成装置２に接続
され」，「被写体をスキャンした」「画像データ」を保管する仕組みを有する物であるから，本件補正発明の「医用画像ファイリング装置」に相当する。
　
カ　以上より，引用発明と本件補正発明との間に格別な相違は見いだせない。
　
キ　したがって，本件補正発明は，引用発明すなわち引用例に記載された発明であるから，特許法第２９条第１項第３号に該当し，特許出願の際独立して特許を受けることができないものである。
　
（４）本件補正についてのむすび
　以上のとおり，本件補正は，平成１８年改正前特許法第１７条の２第５項において準用する同法第１２６条第５項の規定に違反するので，同法第１５９条第１項の規定において読み替えて準用する同法第５３条第１項の規定により却下すべきものである。
　
第３　本願発明について
１　本願発明
　平成２５年７月１６日付けでなされた手続補正は，上記のとおり却下されたので，本願の請求項１〜１８に係る発明は，平成２４年８月６日付け手続補正書の特許請求の範囲の請求項１〜１８に記載された事項により特定されるものであるところ，その請求項１に係る発明（以下「本願発明」という。）は，明細書及び図面の記載からみて，その請求項１に記載された事項により特定される，上記第２［理由］１（２）に記載のとおりのものである。
　
２　引用例
　原査定の拒絶の理由で引用された引用例及びその記載事項は，上記第２［理由］２（２）に記載したとおりである。
　
３　対比
　本願発明は，上記第２［理由］１（３）に記載したとおり，本件補正発明は，本願発明にさらに限定事項を追加したものであるから，本願発明は，本件補正発明から限定事項を省いた発明といえる。その本件補正発明が，上記第２［理由］２に記載したとおり，引用例に記載された発明である以上，本願発明も同様に引用例に記載された発明である。
　
４　むすび
　以上のとおり，本願発明は，特許法第２９条第１項第３号に該当するから，他の請求項に係る発明について検討するまでもなく，本願は拒絶されるべきものである。
　よって，結論の通り審決する。